(57)【特許請求の範囲】
【請求項１】
ユーザ機器の現在のバッファ状態レポート（ＢＳＲ）情報の送信をトリガするステップと、
前記ユーザ機器が媒体アクセス制御プロトコル・データ・ユニット（ＭＡＣ  ＰＤＵ）データ・パケットを基地局に送信し、前記ＭＡＣ  ＰＤＵデータ・パケットが新規送信ＭＡＣ  ＰＤＵデータ・パケットと再送ＭＡＣ  ＰＤＵデータ・パケットとを含む場合には、前記ＢＳＲ情報を新規送信ＭＡＣ  ＰＤＵデータ・パケットで運搬して前記基地局に送信するステップと、
を含む、バッファ状態レポート方法。
【請求項２】
前記ユーザ機器により、前記ＢＳＲ情報を前記新規送信ＭＡＣ  ＰＤＵデータ・パケットで運搬する方式は、
前記ユーザ機器の前記現在のＢＳＲ情報の送信をトリガするとき、ＭＡＣ  ＰＤＵデータ・パケットが単一のキャリアで運搬されて前記基地局に送信され、前記新規送信ＭＡＣ  ＰＤＵデータ・パケットが前記ＭＡＣ  ＰＤＵデータ・パケットの何れかである場合には、前記ＢＳＲ情報を前記新規送信ＭＡＣ  ＰＤＵデータ・パケットで運搬するステップであって、前記ＢＳＲ情報は周期ＢＳＲ情報であるか、または、前記ＢＳＲ情報は正規ＢＳＲ情報であるステップ
を含む、請求項１に記載の方法。
【請求項３】
前記ユーザ機器により、前記ＢＳＲ情報を前記新規送信ＭＡＣ  ＰＤＵデータ・パケットで運搬する方式は、
前記ユーザ機器の前記現在のＢＳＲ情報の送信をトリガするとき、ＭＡＣ  ＰＤＵデータ・パケットが複数のキャリアで運搬されて同一の基地局に送信され、前記新規送信ＭＡＣ  ＰＤＵデータ・パケットが前記ＭＡＣ  ＰＤＵデータ・パケットの何れかである場合には、前記ＢＳＲ情報を前記新規送信ＭＡＣ  ＰＤＵデータ・パケットで運搬するステップであって、前記ＢＳＲ情報は周期ＢＳＲ情報であるか、または、前記ＢＳＲ情報は正規ＢＳＲ情報であるステップ
を含む、請求項１に記載の方法。
【請求項４】
前記ユーザ機器により、前記ＢＳＲ情報を前記新規送信ＭＡＣ  ＰＤＵデータ・パケットで運搬する方式は、
ヘテロジーニアスネットワークにおいて、前記ユーザ機器の前記現在のＢＳＲ情報の送信をトリガするとき、ＭＡＣ  ＰＤＵデータ・パケットが複数のキャリアで運搬されて同一の基地局に送信され、前記新規送信ＭＡＣ  ＰＤＵデータ・パケットが前記ＭＡＣ  ＰＤＵデータ・パケットの何れかである場合には、前記ＢＳＲ情報を前記新規送信ＭＡＣ  ＰＤＵデータ・パケットで運搬するステップ、または、
ヘテロジーニアスネットワークにおいて、前記ユーザ機器の前記現在のＢＳＲ情報の送信をトリガするとき、ＭＡＣ  ＰＤＵデータ・パケットが複数のキャリアで運搬されて異なる基地局に送信され、各キャリアは異なる基地局に対応し、各キャリアがＭＡＣ  ＰＤＵデータ・パケットを運搬して対応する基地局に送信し、前記新規送信ＭＡＣ  ＰＤＵデータ・パケットが前記ＭＡＣ  ＰＤＵデータ・パケットのうち何れかである場合には、前記ＢＳＲ情報を前記新規送信ＭＡＣ  ＰＤＵデータ・パケットで運搬するステップ、または、
ヘテロジーニアスネットワークにおいて、前記ユーザ機器の前記現在のＢＳＲ情報の送信をトリガするとき、ＭＡＣ  ＰＤＵデータ・パケットが複数のキャリアで運搬されて異なる基地局に送信され、前記複数のキャリアのうち一部のキャリアが同一の基地局に対応し、前記一部のキャリアがＭＡＣ  ＰＤＵデータ・パケットを運搬して前記同一の基地局に送信し、前記新規送信ＭＡＣ  ＰＤＵデータ・パケットが前記ＭＡＣ  ＰＤＵデータ・パケットのうち何れかである場合には、前記ＢＳＲ情報を前記新規送信ＭＡＣ  ＰＤＵデータ・パケットで運搬するステップ、
を含み、
前記ＢＳＲ情報は周期ＢＳＲ情報であるか、または、前記ＢＳＲ情報は正規ＢＳＲ情報である、
請求項１に記載の方法。
【請求項５】
前記ユーザ機器により、前記ＢＳＲ情報を前記新規送信ＭＡＣ  ＰＤＵデータ・パケットで運搬する方式は、
ヘテロジーニアスネットワークにおいて、複数のキャリアを１つの一次キャリアと複数の二次キャリアにソートするステップと、
前記ユーザ機器の前記現在のＢＳＲ情報の送信をトリガするとき、ＭＡＣ  ＰＤＵデータ・パケットが前記一次キャリアで運搬されて基地局に送信され、前記新規送信ＭＡＣ  ＰＤＵデータ・パケットが前記ＭＡＣ  ＰＤＵデータ・パケットの何れかである場合には、前記ＢＳＲ情報を前記新規送信ＭＡＣ  ＰＤＵデータ・パケットで運搬するステップと、
前記ユーザ機器の前記現在のＢＳＲ情報の送信をトリガするとき、ＭＡＣ  ＰＤＵデータ・パケットが前記複数の二次キャリアで運搬されて基地局に送信され、前記新規送信ＭＡＣ  ＰＤＵデータ・パケットが前記ＭＡＣ  ＰＤＵデータ・パケットの何れかである場合には、前記ＢＳＲ情報を前記新規送信ＭＡＣ  ＰＤＵデータ・パケットで運搬するステップと、
を含み、
前記ＢＳＲ情報は周期ＢＳＲ情報であるか、または、前記ＢＳＲ情報は正規ＢＳＲ情報である
請求項１に記載の方法。
【請求項６】
前記ユーザ機器により、前記ＢＳＲ情報を前記新規送信ＭＡＣ  ＰＤＵデータ・パケットで運搬する方式は、
ヘテロジーニアスネットワークにおいて、複数のキャリアをキャリア・グループにソートするステップであって、各キャリア・グループは少なくとも１つのキャリアを含むステップと、
前記ユーザ機器の前記現在のＢＳＲ情報の送信をトリガするとき、ＭＡＣ  ＰＤＵデータ・パケットがキャリア・グループ内のキャリアで運搬されて基地局に送信され、前記新規送信ＭＡＣ  ＰＤＵデータ・パケットが前記ＭＡＣ  ＰＤＵデータ・パケットの何れかである場合には、前記ＢＳＲ情報を前記新規送信ＭＡＣ  ＰＤＵデータ・パケットのうち１つで運搬するステップであって、前記ＢＳＲ情報は周期ＢＳＲ情報であるか、または、前記ＢＳＲ情報は正規ＢＳＲ情報であるステップと、
を含む、請求項１に記載の方法。
【請求項７】
ユーザ機器の現在のバッファ状態レポート（ＢＳＲ）情報の送信をトリガするように構成されたトリガ・ユニットと、
前記ユーザ機器が媒体アクセス制御プロトコル・データ・ユニット（ＭＡＣ  ＰＤＵ）データ・パケットを基地局に送信し、前記ＭＡＣ  ＰＤＵデータ・パケットが新規送信ＭＡＣ  ＰＤＵデータ・パケットと再送ＭＡＣ  ＰＤＵデータ・パケットとを含む場合に、前記ＢＳＲ情報を前記新規送信ＭＡＣ  ＰＤＵデータ・パケットで運搬して前記基地局に送信するように構成された送信ユニットと、
を備える、バッファ状態レポート装置。
【請求項８】
前記送信ユニットは特に、前記ユーザ機器の前記現在のＢＳＲ情報の送信をトリガするとき、ＭＡＣ  ＰＤＵデータ・パケットが単一のキャリアで運搬され基地局に送信され、前記新規送信ＭＡＣ  ＰＤＵデータ・パケットが前記ＭＡＣ  ＰＤＵデータ・パケットの何れかである場合には、前記ＢＳＲ情報を前記新規送信ＭＡＣ  ＰＤＵデータ・パケットで運搬するように構成され、前記ＢＳＲ情報は周期ＢＳＲ情報であるか、または、前記ＢＳＲ情報は正規ＢＳＲ情報である、請求項７に記載の装置。
【請求項９】
前記送信ユニットは特に、前記ユーザ機器の前記現在のＢＳＲ情報の送信をトリガするとき、ＭＡＣ  ＰＤＵデータ・パケットが複数のキャリアで運搬されて同一の基地局に送信され、前記新規送信ＭＡＣ  ＰＤＵデータ・パケットが前記ＭＡＣ  ＰＤＵデータ・パケットの何れかである場合に、前記ＢＳＲ情報を前記新規送信ＭＡＣ  ＰＤＵデータ・パケットで運搬するように構成され、前記ＢＳＲ情報は周期ＢＳＲ情報であるか、または、前記ＢＳＲ情報は正規ＢＳＲ情報である、請求項７に記載の装置。
【請求項１０】
前記送信ユニットは特に、
ヘテロジーニアスネットワークにおいて、前記ユーザ機器の前記現在のＢＳＲ情報の送信をトリガするとき、ＭＡＣ  ＰＤＵデータ・パケットが複数のキャリアで運搬されて同一の基地局に送信され、前記新規送信ＭＡＣ  ＰＤＵデータ・パケットが前記ＭＡＣ  ＰＤＵデータ・パケットの何れかである場合に、前記ＢＳＲ情報を前記新規送信ＭＡＣ  ＰＤＵデータ・パケットで運搬するか、または、
ヘテロジーニアスネットワークにおいて、前記ユーザ機器の前記現在のＢＳＲ情報の送信をトリガするとき、ＭＡＣ  ＰＤＵデータ・パケットが複数のキャリアで運搬されて異なる基地局に送信され、各キャリアは異なる基地局に対応し、各キャリアがＭＡＣ  ＰＤＵデータ・パケットを運搬して対応する基地局に送信し、前記新規送信ＭＡＣ  ＰＤＵデータ・パケットが前記ＭＡＣ  ＰＤＵデータ・パケットのうち何れかである場合には、前記ＢＳＲ情報を前記新規送信ＭＡＣ  ＰＤＵデータ・パケットで運搬するか、または、
ヘテロジーニアスネットワークにおいて、前記ユーザ機器の前記現在のＢＳＲ情報の送信をトリガするとき、ＭＡＣ  ＰＤＵデータ・パケットが複数のキャリアで運搬されて異なる基地局に送信され、前記複数のキャリアのうち一部のキャリアが同一の基地局に対応し、前記一部のキャリアがＭＡＣ  ＰＤＵデータ・パケットを運搬して前記同一の基地局に送信し、前記新規送信ＭＡＣ  ＰＤＵデータ・パケットが前記ＭＡＣ  ＰＤＵデータ・パケットのうち何れかである場合には、前記ＢＳＲ情報を前記新規送信ＭＡＣ  ＰＤＵデータ・パケットで運搬する
ように構成され、前記ＢＳＲ情報は周期ＢＳＲ情報であるか、または、前記ＢＳＲ情報は正規ＢＳＲ情報である、
請求項７に記載の装置。
【請求項１１】
前記送信ユニットは特に、
ヘテロジーニアスネットワークにおいて、複数のキャリアを１つの一次キャリアと複数の二次キャリアにソートし、
前記ユーザ機器の前記現在のＢＳＲ情報の送信をトリガするとき、ＭＡＣ  ＰＤＵデータ・パケットが前記一次キャリアで運搬されて基地局に送信され、前記新規送信ＭＡＣ  ＰＤＵデータ・パケットが前記ＭＡＣ  ＰＤＵデータ・パケットの何れかである場合には、前記ＢＳＲ情報を前記新規送信ＭＡＣ  ＰＤＵデータ・パケットで運搬し、
前記ユーザ機器の前記現在のＢＳＲ情報の送信をトリガするとき、ＭＡＣ  ＰＤＵデータ・パケットが前記複数の二次キャリアで運搬されて基地局に送信され、前記新規送信ＭＡＣ  ＰＤＵデータ・パケットが前記ＭＡＣ  ＰＤＵデータ・パケットの何れかである場合には、前記ＢＳＲ情報を前記新規送信ＭＡＣ  ＰＤＵデータ・パケットで運搬する、
ように構成され、前記ＢＳＲ情報は周期ＢＳＲ情報であるか、または、前記ＢＳＲ情報は正規ＢＳＲ情報である、
請求項７に記載の装置。
【請求項１２】
前記送信ユニットは特に、
ヘテロジーニアスネットワークにおいて、複数のキャリアをキャリア・グループにソートし、
前記ユーザ機器の前記現在のＢＳＲ情報の送信をトリガするとき、ＭＡＣ  ＰＤＵデータ・パケットがキャリア・グループ内のキャリアで運搬されて基地局に送信され、前記新規送信ＭＡＣ  ＰＤＵデータ・パケットが前記ＭＡＣ  ＰＤＵデータ・パケットの何れかである場合には、前記ＢＳＲ情報を前記新規送信ＭＡＣ  ＰＤＵデータ・パケットで運搬する、
ように構成され、各キャリア・グループは少なくとも１つのキャリアを含み、前記ＢＳＲ情報は周期ＢＳＲ情報であるか、または、前記ＢＳＲ情報は正規ＢＳＲ情報である、請求項７に記載の装置。
【発明の詳細な説明】
【技術分野】
【０００１】
本願は発明の名称を「バッファ状態レポート方法および装置」とした、２０１２年２月１４日に中国国家知識産権局に出願した中国特許出願第２０１２１００３２７２３．０号に対する優先権を主張し、引用によりその全体を本明細書に組み込む。
【０００２】
本発明の諸態様は、通信技術の分野に関し、特にバッファ状態レポート方法および装置に関する。
【背景技術】
【０００３】
無線通信システムでは、ユーザは基地局によるアップリンク・スケジューリングにより特定のアップリンク・リソースと送信モードを取得して、アップリンク・データを送信する。ユーザに対する基地局によるアップリンク・スケジューリングの結果は様々な要因に依存する。基地局によるユーザのアップリンク・チャネルの測定結果とユーザの電力情報に加えて、基地局はさらに、ユーザ側で送信されるデータ・サイズに関する情報を取得する必要がある。
【０００４】
例えば、ユーザのＢＳＲ（Ｂｕｆｆｅｒ  Ｓｔａｔｅ  Ｒｅｐｏｒｔ、バッファ状態レポート）情報が、ＭＡＣ（Ｍｅｄｉａ  Ａｃｃｅｓｓ  Ｃｏｎｔｒｏｌ、媒体アクセス制御）ＣＥ（Ｃｏｎｔｒｏｌ  Ｅｌｅｍｅｎｔ、制御要素）を用いることによって基地局に報告される。特に、ＭＡＣ層では、論理チャネル・データとＭＡＣ  ＣＥとがＭＡＣ  ＰＤＵ（Ｐｒｏｔｏｃｏｌ  Ｄａｔａ  Ｕｎｉｔ、プロトコル・データ・ユニット）を形成し、これが基地局に報告される。
【発明の概要】
【発明が解決しようとする課題】
【０００５】
しかし、複数のＭＡＣ  ＰＤＵを同時に送信するケースでは、当該ＢＳＲ情報は高々１つのＭＡＣ  ＰＤＵで基地局に送信されるにすぎない。新規送信ＭＡＣ  ＰＤＵと再送ＭＡＣ  ＰＤＵを同時に送信するときには、ユーザの過去のＢＳＲ情報が常に、再送ＭＡＣ  ＰＤＵで再送される。その結果、基地局はユーザの現在のＢＳＲ情報を長期間取得することができず、ユーザのアップリンク・スケジューリングに影響が及ぶ。
【課題を解決するための手段】
【０００６】
本発明の諸実施形態の目的は、バッファ状態レポート方法および装置を提供して、バッファ状態レポートの送信を保証することである。本発明の諸実施形態の目的は、以下の技術的解決策を用いることによって達成される。
【０００７】
本発明の１実施形態では、ユーザ機器の現在のバッファ状態レポートＢＳＲ情報の送信をトリガするステップと、当該ユーザ機器が媒体アクセス制御プロトコル・データ・ユニットＭＡＣ  ＰＤＵデータ・パケットを基地局に送信し、当該ＭＡＣ  ＰＤＵデータ・パケットが新規送信ＭＡＣ  ＰＤＵデータ・パケットを含む場合には、当該ＢＳＲ情報を新規送信ＭＡＣ  ＰＤＵデータ・パケットで運搬して当該基地局に送信するステップとを含むバッファ状態レポート方法を提供する。
【０００８】
本発明の１実施形態では、ユーザ機器の現在のバッファ状態レポートＢＳＲ情報の送信をトリガするように構成されたトリガ・ユニットと、当該ユーザ機器が媒体アクセス制御プロトコル・データ・ユニットＭＡＣ  ＰＤＵデータ・パケットを基地局に送信し、当該ＭＡＣ  ＰＤＵデータ・パケットが新規送信ＭＡＣ  ＰＤＵデータ・パケットを含む場合には、当該ＢＳＲ情報を当該新規送信ＭＡＣ  ＰＤＵデータ・パケットで運搬して当該基地局に送信するように構成された送信ユニットとを備えるバッファ状態レポート装置を提供する。
【０００９】
複数のＭＡＣ  ＰＤＵが同時に送信されるとき、ＢＳＲ情報が新規送信ＭＡＣ  ＰＤＵで運搬され、その結果、基地局がユーザ側のＢＳＲ情報をタイムリーに取得し、それにより、ユーザに対するアップリンク・スケジューリングの性能が改善されることが、本発明の諸実施形態で提供する技術的解決策から分かる。
【００１０】
本発明の諸実施形態における技術的解決策をより明確に説明するために、以下では当該実施形態を説明するために必要な添付図面を簡単に説明する。明らかに、以下の説明における添付図面は本発明の諸実施形態の一部を示すにすぎず、当業者は創造的作業なしにこれらの添付図面から他の図面を依然として導出することができる。
【図面の簡単な説明】
【００１１】
【図１】本発明の１実施形態に従うバッファ状態レポート方法の略流れ図である。
【図２】本発明の１実施形態に従うバッファ状態レポート装置の構成の略構造図である。
【図３】本発明の１実施形態の適用シナリオ１に従うバッファ状態レポート方法の適用シナリオを示す略構造図１である。
【図４】本発明の１実施形態の適用シナリオ１に従うバッファ状態レポート方法の適用シナリオを示す略構造図２である。
【図５】本発明の１実施形態の適用シナリオ１に従うバッファ状態レポート方法の適用シナリオを示す略構造図３である。
【図６】本発明の１実施形態の適用シナリオ２に従うバッファ状態レポート方法の適用シナリオを示す略構造図４である。
【図７】本発明の１実施形態の適用シナリオ２に従うバッファ状態レポート方法の適用シナリオを示す略構造図５である。
【図８】本発明の１実施形態の適用シナリオ２に従うバッファ状態レポート方法の適用シナリオを示す略構造図６である。
【図９】本発明の１実施形態の適用シナリオ３に従うバッファ状態レポート方法の適用シナリオを示す略構造図８である。
【図１０】本発明の１実施形態の適用シナリオ３に従うバッファ状態レポート方法の適用シナリオを示す略構造図９である。
【図１１】本発明の１実施形態の適用シナリオ３に従うバッファ状態レポート方法の適用シナリオを示す略構造図１０である。
【図１２】本発明の１実施形態の適用シナリオ３に従うバッファ状態レポート方法の適用シナリオを示す略構造図１１である。
【図１３】本発明の１実施形態の適用シナリオ３に従うバッファ状態レポート方法の適用シナリオを示す略構造図１２である。
【図１４】本発明の１実施形態の適用シナリオ４に従うバッファ状態レポート方法の適用シナリオを示す略構造図１３である。
【発明を実施するための形態】
【００１２】
以下では本発明の諸実施形態における添付図面を参照して本発明の諸実施形態における技術的解決策を明確かつ十分に説明する。明らかに、説明した実施形態は本発明の諸実施形態の全部ではなく一部にすぎない。当業者が創造的作業なしに本発明の諸実施形態に基づいて取得する他の全ての実施形態は本発明の保護範囲に入るものとする。
【００１３】
図１に示すように、本発明の１実施形態では、以下のステップを含むバッファ状態レポート方法を提供する。
【００１４】
１１では、ユーザ機器の現在のバッファ状態レポートＢＳＲ情報の送信をトリガする。１２では、当該ユーザ機器が媒体アクセス制御プロトコル・データ・ユニットＭＡＣ  ＰＤＵデータ・パケットを基地局に送信し、当該ＭＡＣ  ＰＤＵデータ・パケットが新規送信ＭＡＣ  ＰＤＵデータ・パケットを含む場合には、当該ＢＳＲ情報を当該新規送信ＭＡＣ  ＰＤＵデータ・パケットで運搬して当該基地局に送信する。
【００１５】
本発明の当該実施形態のバッファ状態レポート方法を、ＵＥ（Ｕｓｅｒ  Ｅｑｕｉｐｍｅｎｔ、ユーザ機器）によって実行してもよい。
【００１６】
複数のＭＡＣ  ＰＤＵが同時に送信されるとき、ＢＳＲ情報が新規送信ＭＡＣ  ＰＤＵで運搬され、その結果、基地局がユーザ側のＢＳＲ情報をタイムリーに取得し、それにより、ユーザに対するアップリンク・スケジューリングの性能が改善されることが本発明の当該実施形態が提供する技術的解決策から分かる。
【００１７】
本発明では、新規送信ＭＡＣ  ＰＤＵデータ・パケットおよび再送ＭＡＣ  ＰＤＵデータ・パケットという用語は以下のように理解される。ＭＡＣ  ＰＤＵデータ・パケットの送信に失敗し当該パケットを再送する必要がある場合には、「新規送信ＭＡＣ  ＰＤＵデータ・パケット」とは、再送前のＭＡＣ  ＰＤＵデータ・パケットをいい、再送ＭＡＣ  ＰＤＵデータ・パケットとは、再送中のＭＡＣ  ＰＤＵデータ・パケットをいう。
【００１８】
本発明の当該実施形態のバッファ状態レポート方法を無線通信システムに適用してもよい。当該無線通信システムには、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ、第三世代パートナシップ・プロジェクト  ロング・ターム・エボリューション）、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ、広域符号分割多重アクセス）、ＣＤＭＡ２０００（Ｃｏｄｅ  Ｄｉｖｉｓｉｏｎ  Ｍｕｌｔｉｐｌｅ  Ａｃｃｅｓｓ、符号分割多重アクセス）、ＴＤ−ＳＣＤＭＡ（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ、時分割同期符号分割多重アクセス）、ＷＩＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ワイマックス）、および他の無線通信システムが含まれるがこれらに限らない。
【００１９】
場合によっては、当該ＢＳＲ情報が周期（Ｐｅｒｉｏｄｉｃ）−ＢＳＲ情報であってもよく、または、当該ＢＳＲ情報が正規（Ｒｅｇｕｌａｒ）−ＢＳＲ情報であってもよい。
【００２０】
場合によっては、ステップ１２で、ＢＳＲ情報を新規送信ＭＡＣ  ＰＤＵデータ・パケットで運搬する方式が、ユーザ機器の現在のＢＳＲ情報の送信をトリガするとき、ＭＡＣ  ＰＤＵデータ・パケットが単一のキャリアで運搬され基地局に送信され、新規送信ＭＡＣ  ＰＤＵデータ・パケットがＭＡＣ  ＰＤＵデータ・パケットのうち何れかである場合には、当該ＢＳＲ情報を当該新規送信ＭＡＣ  ＰＤＵデータ・パケットで運搬するステップを含んでもよい。
【００２１】
例えば、ＳＵ−ＭＩＭＯ（Ｓｉｎｇｌｅ  Ｕｓｅｒ−Ｍｕｌｔｉｐｌｅ  Ｉｎｐｕｔ  Ｍｕｌｔｉｐｌｅ  Ｏｕｔｐｕｔ、単一ユーザ・複数入力複数出力）のような単一キャリアの適用シナリオでは、ユーザは複数のアップリンク送信アンテナを有し、チャネル環境により複数のＭＡＣ  ＰＤＵを同時に送信することができる。
【００２２】
ユーザ機器の現在のＢＳＲ情報の送信は、例えばＢＳＲタイマによりトリガ方式でトリガされる。具体的なトリガ方式については先行技術を参照すれば理解でき、詳細についてはここでは繰り返し説明しない。
【００２３】
場合によっては、ステップ１２で、当該ＢＳＲ情報を新規送信ＭＡＣ  ＰＤＵデータ・パケットで運搬する方式が、ユーザ機器の現在のＢＳＲ情報の送信をトリガするとき、ＭＡＣ  ＰＤＵデータ・パケットが複数のキャリアで運搬されて同一の基地局に送信され、新規送信ＭＡＣ  ＰＤＵデータ・パケットがＭＡＣ  ＰＤＵデータ・パケットのうち何れかである場合には、当該ＢＳＲ情報を当該新規送信ＭＡＣ  ＰＤＵデータ・パケットで運搬するステップを含んでもよい。
【００２４】
場合によっては、ステップ１２で、当該ＢＳＲ情報を新規送信ＭＡＣ  ＰＤＵデータ・パケットで運搬する方式が、
不均一ネットワークにおいて、ユーザ機器の現在のＢＳＲ情報の送信を複数のキャリア上でトリガするときにＭＡＣ  ＰＤＵデータ・パケットが複数のキャリアで運搬されて同一の基地局に送信され、新規送信ＭＡＣ  ＰＤＵデータ・パケットが当該複数のキャリアで運搬されるＭＡＣ  ＰＤＵデータ・パケットのうち何れかである場合に、当該ＢＳＲ情報を当該新規送信ＭＡＣ  ＰＤＵデータ・パケットで運搬するステップ、または、
不均一ネットワークにおいて、ユーザ機器の現在のＢＳＲ情報の送信を当該キャリア上でトリガするときに、ＭＡＣ  ＰＤＵデータ・パケットが複数のキャリアで運搬されて基地局に送信される場合に、規送信ＭＡＣ  ＰＤＵデータ・パケットが当該複数のキャリアで運搬されるＭＡＣ  ＰＤＵデータ・パケットのうち何れかである場合に、当該ＢＳＲ情報を当該新規送信ＭＡＣ  ＰＤＵデータ・パケットで運搬するステップであって、各キャリアは異なる基地局に対応するステップ、または、
不均一ネットワークにおいて、ユーザ機器の現在のＢＳＲ情報の送信を当該キャリア上でトリガするときに、ＭＡＣ  ＰＤＵデータ・パケットが複数のキャリアで運搬されて基地局に送信され、新規送信ＭＡＣ  ＰＤＵデータ・パケットが当該複数のキャリアで運搬されるＭＡＣ  ＰＤＵデータ・パケットのうち何れかである場合に、当該ＢＳＲ情報を当該新規送信ＭＡＣ  ＰＤＵデータ・パケットで運搬するステップであって、当該複数のキャリアのうち一部のキャリアが同一の基地局に対応するステップ
を含んでもよい。
【００２５】
場合によっては、ステップ１２で、当該ＢＳＲ情報を新規送信ＭＡＣ  ＰＤＵデータ・パケットで運搬する方式が、
不均一ネットワークにおいて、複数のキャリアを１つの一次キャリアと１つまたは複数の二次キャリアにソートするステップと、
当該ユーザ機器の当該一次キャリアで現在のＢＳＲ情報の送信をトリガするときに、ＭＡＣ  ＰＤＵデータ・パケットが当該一次キャリアで運搬されて基地局に送信され、新規送信ＭＡＣ  ＰＤＵデータ・パケットが当該キャリアで運搬されるＭＡＣ  ＰＤＵデータ・パケットのうち何れかである場合に、当該ＢＳＲ情報を当該新規送信ＭＡＣ  ＰＤＵデータ・パケットで運搬するステップと、
現在のＢＳＲ情報の送信をユーザ機器の全ての二次キャリアでトリガするときに、ＭＡＣ  ＰＤＵデータ・パケットが当該複数の二次キャリアで運搬されて基地局に送信され、新規送信ＭＡＣ  ＰＤＵデータ・パケットが全ての二次キャリアで運搬されるＭＡＣ  ＰＤＵデータ・パケットのうち何れかである場合に、当該ＢＳＲ情報を当該新規送信ＭＡＣ  ＰＤＵデータ・パケットで運搬するステップと、
を含んでもよい。
【００２６】
さらに、一次キャリアの現在のＢＳＲ情報と全ての二次キャリアのＢＳＲ情報は互いに独立である。即ち、現在のＢＳＲ情報を、一次キャリアで運搬される当該新規送信ＭＡＣ  ＰＤＵデータ・パケットと二次キャリアで運搬される当該新規送信ＭＡＣ  ＰＤＵデータ・パケットに多重化してもよい。
【００２７】
場合によっては、ステップ１２で、当該ＢＳＲ情報を新規送信ＭＡＣ  ＰＤＵデータ・パケットで運搬する方式が、
不均一ネットワークにおいて、複数のキャリアをキャリア・グループにソートするステップであって、各キャリア・グループが少なくとも１つのキャリアを含むステップと、
ユーザ機器の現在のＢＳＲ情報の送信をトリガするときに、ＭＡＣ  ＰＤＵデータ・パケットがキャリア・グループ内のキャリアで運搬されて基地局に送信され、新規送信ＭＡＣ  ＰＤＵデータ・パケットがＭＡＣ  ＰＤＵデータ・パケットのうち何れかである場合には、当該ＢＳＲ情報を当該新規送信ＭＡＣ  ＰＤＵデータ・パケットで運搬するステップと
を含んでもよい。
【００２８】
場合によっては、本発明の当該実施形態のバッファ状態レポート方法において、ＭＡＣ  ＰＤＵデータ・パケットが新規送信ＭＡＣ  ＰＤＵデータ・パケットを含むときには、ＢＳＲ情報が当該新規送信ＭＡＣ  ＰＤＵデータ・パケットで運搬されて基地局に送信される。
【００２９】
ＭＡＣ  ＰＤＵデータ・パケットが複数の新規送信ＭＡＣ  ＰＤＵデータ・パケットを含むとき、ＢＳＲ情報が複数の新規送信ＭＡＣ  ＰＤＵデータ・パケットのうち１つで運搬されて基地局に送信される。ＢＳＲ情報を運搬するための新規送信ＭＡＣ  ＰＤＵをどのようにユーザが選択するかはユーザ機器によるアルゴリズムの実装の問題であり、本明細書では特に論じない。
【００３０】
図２に示すように、本発明の１実施形態では、上記の実施形態のバッファ状態レポート方法に対応するバッファ状態レポート装置を提供する。当該装置は、ユーザ機器の現在のバッファ状態レポートＢＳＲ情報の送信をトリガするように構成されたトリガ・ユニット２１と、当該ユーザ機器が媒体アクセス制御プロトコル・データ・ユニットＭＡＣ  ＰＤＵデータ・パケットを基地局に送信し、当該ＭＡＣ  ＰＤＵデータ・パケットが新規送信ＭＡＣ  ＰＤＵデータ・パケットを含む場合には、当該ＢＳＲ情報を当該新規送信ＭＡＣ  ＰＤＵデータ・パケットで運搬して当該基地局に送信するように構成された送信ユニット２２とを備える。
【００３１】
本発明の当該実施形態のバッファ状態レポート装置が物理的に単体で存在してもよく、または、当該装置をＵＥと統合してもよい。
【００３２】
本発明では、新規送信ＭＡＣ  ＰＤＵデータ・パケットおよび再送ＭＡＣ  ＰＤＵデータ・パケットという用語は以下のように理解される。ＭＡＣ  ＰＤＵデータ・パケットの送信に失敗し当該パケットを再送する必要がある場合には、「新規送信ＭＡＣ  ＰＤＵデータ・パケット」とは、再送前のＭＡＣ  ＰＤＵデータ・パケットをいい、再送ＭＡＣ  ＰＤＵデータ・パケットとは、再送中のＭＡＣ  ＰＤＵデータ・パケットをいう。
【００３３】
複数のＭＡＣ  ＰＤＵが同時に送信されるとき、ＢＳＲ情報が新規送信ＭＡＣ  ＰＤＵで運搬され、その結果、基地局がユーザ側のＢＳＲ情報をタイムリーに取得し、それにより、ユーザに対するアップリンク・スケジューリングの性能が改善されることが本発明の当該実施形態が提供する技術的解決策から分かる。
【００３４】
当該送信ユニットにより送信されたＢＳＲ情報がＰｅｒｉｏｄｉｃ−ＢＳＲ情報であってもよく、または、当該送信ユニットにより送信されたＢＳＲ情報がＲｅｇｕｌａｒ−ＢＳＲ情報であってもよい。場合によっては、送信ユニット２２を特に、ユーザ機器の現在のＢＳＲ情報の送信をトリガするとき、ＭＡＣ  ＰＤＵデータ・パケットが単一のキャリアで運搬されて基地局に送信され、新規送信ＭＡＣ  ＰＤＵデータ・パケットがＭＡＣ  ＰＤＵデータ・パケットのうち何れかである場合には、当該ＢＳＲ情報を当該新規送信ＭＡＣ  ＰＤＵデータ・パケットで運搬するように構成してもよい。
【００３５】
例えば、ＳＵ−ＭＩＭＯ（Ｓｉｎｇｌｅ  Ｕｓｅｒ−Ｍｕｌｔｉｐｌｅ  Ｉｎｐｕｔ  Ｍｕｌｔｉｐｌｅ  Ｏｕｔｐｕｔ、単一ユーザ・複数入力複数出力）のような単一キャリアの適用シナリオでは、ユーザは複数のアップリンク送信アンテナを有し、チャネル環境により複数のＭＡＣ  ＰＤＵを同時に送信することができる。
【００３６】
場合によっては、送信ユニット２２を特に、ユーザ機器の現在のＢＳＲ情報の送信をトリガするとき、ＭＡＣ  ＰＤＵデータ・パケットが複数のキャリアで運搬されて同一の基地局に送信され、新規送信ＭＡＣ  ＰＤＵデータ・パケットがＭＡＣ  ＰＤＵデータ・パケットのうち何れかである場合には、当該ＢＳＲ情報を当該新規送信ＭＡＣ  ＰＤＵデータ・パケットで運搬するように構成してもよい。
【００３７】
場合によっては、送信ユニット２２を特に、
不均一ネットワークにおいて、ユーザ機器の現在のＢＳＲ情報の送信をトリガするとき、ＭＡＣ  ＰＤＵデータ・パケットが複数のキャリアで運搬されて同一の基地局に送信され、新規送信ＭＡＣ  ＰＤＵデータ・パケットがＭＡＣ  ＰＤＵデータ・パケットのうち何れかである場合には、当該ＢＳＲ情報を当該新規送信ＭＡＣ  ＰＤＵデータ・パケットで運搬するか、または、
不均一ネットワークにおいて、ユーザ機器の現在のＢＳＲ情報の送信をトリガするとき、ＭＡＣ  ＰＤＵデータ・パケットが複数のキャリアで運搬されて異なる基地局に送信され、各キャリアが異なる基地局に対応し、ＭＡＣ  ＰＤＵデータ・パケットを運搬して対応する基地局に送信し、新規送信ＭＡＣ  ＰＤＵデータ・パケットがＭＡＣ  ＰＤＵデータ・パケットのうち何れかである場合には、当該ＢＳＲ情報を当該新規送信ＭＡＣ  ＰＤＵデータ・パケットで運搬するか、または、
不均一ネットワークにおいて、ユーザ機器の現在のＢＳＲ情報の送信をトリガするとき、ＭＡＣ  ＰＤＵデータ・パケットが複数のキャリアで運搬されて異なる基地局に送信され、当該複数のキャリアのうち一部のキャリアが同一の基地局に対応し、ＭＡＣ  ＰＤＵデータ・パケットが幾つかのキャリアで運搬されて基地局に送信され、新規送信ＭＡＣ  ＰＤＵデータ・パケットがＭＡＣ  ＰＤＵデータ・パケットのうち何れかである場合に、当該ＢＳＲ情報を当該新規送信ＭＡＣ  ＰＤＵデータ・パケットで運搬する
ように構成してもよい。
【００３８】
場合によっては、送信ユニット２２を特に、
不均一ネットワークにおいて、複数のキャリアを１つの一次キャリアと複数の二次キャリアにソートし、
ユーザ機器の現在のＢＳＲ情報の送信をトリガするとき、ＭＡＣ  ＰＤＵデータ・パケットが当該一次キャリアで運搬されて基地局に送信され、新規送信ＭＡＣ  ＰＤＵデータ・パケットがＭＡＣ  ＰＤＵデータ・パケットのうち何れかである場合に、当該ＢＳＲ情報を当該新規送信ＭＡＣ  ＰＤＵデータ・パケットで運搬し、
ユーザ機器の現在のＢＳＲ情報の送信をトリガするとき、ＭＡＣ  ＰＤＵデータ・パケットが当該複数の二次キャリアで運搬されて基地局に送信され、新規送信ＭＡＣ  ＰＤＵデータ・パケットがＭＡＣ  ＰＤＵデータ・パケットのうち何れかである場合に、当該ＢＳＲ情報を当該新規送信ＭＡＣ  ＰＤＵデータ・パケットで運搬する
ように構成してもよい。
【００３９】
場合によっては、送信ユニット２２を特に、
不均一ネットワークにおいて、複数のキャリアをキャリア・グループにソートし、
ユーザ機器の現在のＢＳＲ情報の送信をトリガするとき、ＭＡＣ  ＰＤＵデータ・パケットがキャリア・グループ内のキャリアで運搬されて基地局に送信され、新規送信ＭＡＣ  ＰＤＵデータ・パケットがＭＡＣ  ＰＤＵデータ・パケットのうち何れかである場合には、当該ＢＳＲ情報を当該新規送信ＭＡＣ  ＰＤＵデータ・パケットで運搬する
ように構成してもよい。各キャリア・グループは少なくとも１つのキャリアを含む。
【００４０】
ユーザ機器の現在のＢＳＲ情報の送信は例えばＢＳＲタイマを用いて、トリガ・モードでトリガされる。具体的なトリガ方式については先行技術を参照すれば理解でき、詳細についてはここでは繰り返し説明しない。
【００４１】
ＭＡＣ  ＰＤＵデータ・パケットが新規送信ＭＡＣ  ＰＤＵデータ・パケットを含むとき、ＢＳＲ情報が当該新規送信ＭＡＣ  ＰＤＵデータ・パケットで運搬されて基地局に送信される。ＭＡＣ  ＰＤＵデータ・パケットが複数の新規送信ＭＡＣ  ＰＤＵデータ・パケットを含むとき、ＢＳＲ情報が複数の新規送信ＭＡＣ  ＰＤＵデータ・パケットのうち１つで運搬されて基地局に送信される。ＢＳＲ情報を運搬するための新規送信ＭＡＣ  ＰＤＵをどのようにユーザが選択するかはユーザ機器によるアルゴリズムの実装の問題であり、本明細書では特に論じない。
【００４２】
本発明の当該実施形態のバッファ状態レポート装置と当該装置の構成は上述の実施形態のバッファ状態レポート方法の実行部の動作を参照すれば理解でき、詳細についてはここでは繰り返し説明しない。
【００４３】
以下では、本発明の当該実施形態で提供するバッファ状態レポート方法を具体的な適用シナリオと組み合わせて説明する。特に、ユーザのアップリンクＨＡＲＱプロセスと当該ユーザが送信したＭＡＣ  ＰＤＵの間に１対１の対応があるように構成される。即ち、各ＨＡＲＱプロセスは１つのＭＡＣ  ＰＤＵのみを送信し、異なるＨＡＲＱプロセスが異なるＭＡＣ  ＰＤＵを送信し、複数のＨＡＲＱプロセスを使用して複数のＭＡＣ  ＰＤＵを同時に送信する。基地局がＭＡＣ  ＰＤＵの受信に成功した後、当該ＭＡＣ  ＰＤＵに対応するＨＡＲＱプロセスがアイドル状態に入る。基地局によるスケジューリングのためＨＡＲＱが再度占有されたときには、１対１の対応関係がＨＡＲＱプロセスと当該ＨＡＲＱプロセスにより送信されたＰＤＵの間で再確立される。
【００４４】
適用シナリオ１
図３に示すように、ＵＥはキャリアＣＣ０上で基地局ＢＳ（Ｂａｓｅ  Ｓｔａｔｉｏｎ、基地局）と通信し、ＵＥアップリンクＳＵ−ＭＩＭＯ送信モードでは、ＵＥのアップリンク送信アンテナの数とチャネル環境により、複数のＭＡＣ  ＰＤＵを同時に送信することができる。ＣＣ０上のＵＥのＨＡＲＱプロセスの全数はＬ０であり高々Ｌ０個のＭＡＣ  ＰＤＵがアップリンクにおいてＣＣ０上で同時に送信されるように構成される。図３は特にＬ０＝２である場合を示している。
【００４５】
図４に示すように、本発明の１実施形態で提供するバッファ状態レポート方法は以下のステップを含む。
【００４６】
４１では、ＵＥがＰＤＣＣＨ（Ｐｈｙｓｉｃａｌ  Ｄｏｗｎｌｉｎｋ  Ｃｏｎｔｒｏｌ  Ｃｈａｎｎｅｌ、物理ダウリンク制御チャネル）を検出して現在のアップリンク・スケジューリング情報を取得する。
【００４７】
図５に示すように、時刻ｔ１の前に、全てのＨＡＲＱプロセスがアイドル状態にありＢＳＲがトリガされないと仮定する。時刻ｔ１で、ユーザがＰＤＣＣＨを検出して現在のアップリンク・スケジューリング情報を取得する。当該現在のアップリンク・スケジューリング情報は、時刻ｔ２で、ｍ個のＭＡＣ  ＰＤＵｉ（ｉ∈０、１、・・・、Ｌ０−１；ｍ≦Ｌ０）を同時に送信するためにｍ個のＨＡＲＱプロセスが同時に使用されることを示す。
【００４８】
ｍ＜Ｌ０であるときには、一部のＨＡＲＱプロセスがアイドル状態にあることを示し、ｍ＝Ｌ０であるときには、全てのＨＡＲＱプロセスが占有状態にあることを示す。
【００４９】
それに対応して、ＭＡＣ  ＰＤＵｉのアップリンク送信がＨＡＲＱｉ（ｉ∈０、１、・・・、Ｌ０−１；ｍ≦Ｌ０）プロセスにより実装される。
【００５０】
４２では、ＢＳＲがトリガされ、現在送信されているＭＡＣ  ＰＤＵのうち新規送信ＭＡＣ  ＰＤＵがＵＥの現在のＢＳＲ情報を運搬する。
【００５１】
図５に示すように、時刻ｔ２で、Ｐｅｒｉｏｄｉｃ  ＢＳＲまたはＲｅｇｕｌａｒ  ＢＳＲがトリガされた場合には、ＭＡＣ  ＰＤＵｋおよび他のＭＡＣ  ＰＤＵがアップリンクにおいて空間分割多重方式で同時に送信される。この場合、Ｐｅｒｉｏｄｉｃ  ＢＳＲまたはＲｅｇｕｌａｒ  ＢＳＲの優先度レベルが論理チャネルの一部の優先度より高いので、ＵＥの現在のＢＳＲ情報がＭＡＣ  ＰＤＵｋ（ｋ∈０、１、・・・、Ｌ０−１）で多重化されるように構成される。
【００５２】
ここで、最初に送信された全てのｍ個のＭＡＣ  ＰＤＵｉ（ｉ∈０、１，．．．，Ｌ０−１；ｍ≦Ｌ０）のうち、高々１つのＭＡＣ  ＰＤＵがＵＥの現在のＢＳＲ情報を運搬する。
【００５３】
４３では、ＵＥがＨＡＲＱ（Ｈｙｂｒｉｄ  Ａｕｔｏｍａｔｉｃ  Ｒｅｐｅａｔ  Ｒｅｑｕｅｓｔ、ハイブリッド自動再送要求）フィードバック情報とアップリンク・スケジューリング情報に従ってＨＡＲＱプロセスの状態情報を決定する。
【００５４】
図５に示すように、ＵＥは時刻ｔ３で基地局からのＨＡＲＱフィードバック情報を検出する。ここで、当該ＨＡＲＱフィードバック情報は、基地局がステップ４１で説明したＭＡＣ  ＰＤＵｉを正しく受信したかどうかを反映する。
【００５５】
ＭＡＣ  ＰＤＵｉに対するＨＡＲＱフィードバック情報がＡＣＫ（Ａｃｋｎｏｗｌｅｄｇｍｅｎｔ、肯定応答）である場合には、ＭＡＣ  ＰＤＵｉは基地局により正しく受信されている。この時点で、ＨＡＲＱｉプロセスは保留状態にあり、チャネル条件が許可するときには、基地局は、ＵＥがＨＡＲＱｉプロセスを占有するように新たなＰＤＵをスケジュールしてもよい。
【００５６】
ＭＡＣ  ＰＤＵｉに対するＨＡＲＱフィードバック情報がＮＡＣＫ（Ｎｅｇａｔｉｖｅ  Ａｃｋｎｏｗｌｅｄｇｍｅｎｔ、否定応答）である場合には、ＭＡＣ  ＰＤＵｉは正しく受信されていない。この時点で、ＨＡＲＱｉプロセスはＭＡＣ  ＰＤＵｉを再送するために占有状態であり続ける。
【００５７】
ＵＥは時刻ｔ３でＰＤＣＣＨを検出して時刻ｔ４に対応するアップリンク・スケジューリング情報を取得する。アップリンク・スケジューリング情報がアップリンク新規送信またはアップリンク再送のスケジューリング情報を含む場合には、当該アップリンク・スケジューリング情報に対応するＨＡＲＱプロセスは占有状態にある。
【００５８】
最後に、取得したＨＡＲＱフィードバック情報とアップリンク・スケジューリング情報に従って、ＵＥが時刻ｔ４で全てのＨＡＲＱプロセスの状態情報（即ち、占有状態またはアイドル状態）を決定する。
【００５９】
４４では、ＢＳＲをトリガし、同時に送信された複数のＭＡＣ  ＰＤＵのうち新規送信ＭＡＣ  ＰＤＵがＵＥの現在のＢＳＲ情報を運搬する。
【００６０】
図５に示すように、時刻ｔ４で、ＵＥのアップリンクＨＡＲＱプロセスのうち占有状態にある全てのＨＡＲＱプロセスが、対応するＭＡＣ  ＰＤＵを空間分割多重方式で送信する。
【００６１】
Ｐｅｒｉｏｄｉｃ  ＢＳＲまたはＲｅｇｕｌａｒ  ＢＳＲがトリガ状態にあり、現在占有されているＨＡＲＱプロセスの全てが再送状態にある場合には、ＢＳＲのトリガ状態を維持する。
【００６２】
Ｐｅｒｉｏｄｉｃ  ＢＳＲまたはＲｅｇｕｌａｒ  ＢＳＲがトリガ状態にあり、現在占有されている全てのＨＡＲＱプロセスのうち少なくとも１つが新規送信状態にある場合には、新規送信状態にある全てのＨＡＲＱプロセスのうち高々１つのＭＡＣ  ＰＤＵのみがＵＥの現在のＢＳＲ情報を運搬する。ＨＡＲＱｌプロセスが新規送信状態にあり、０≦ｌ≦Ｌ０−１である場合には、ＨＡＲＱｌプロセスに対応するＭＡＣ  ＰＤＵｌがＵＥの現在のＢＳＲ情報を運搬する。
【００６３】
ＢＳＲ情報を運搬するための新規送信ＭＡＣ  ＰＤＵをどのようにユーザが選択するかはユーザ機器によるアルゴリズムの実装の問題であり、本明細書では特に論じない。
【００６４】
適用シナリオ２
図６に示すように、ＵＥはキャリア集合ＣＣｉ（ｉ＝０、１、・・・、Ｃ）を使用してアップリンク通信を同時に実施する。Ｃはキャリアの数である。各キャリアＣＣｉで、アップリンク通信接続がＵＥとＢＳの間で確立される。ユーザがＣＣｉで有するアップリンクＨＡＲＱプロセスの数はＬｉである。即ち、即ち、当該リンクでユーザが送信するＭＡＣ  ＰＤＵの最大数はＬｉである。キャリア集合で利用可能なプロセスの全数は、
【００６５】
【数１】
0005911977.tif 000002
【００６６】
である。図６はＣ＝２である場合を示している。
【００６７】
図７に示すように、本発明の１実施形態で提供するバッファ状態レポート方法は以下のステップを含む。
【００６８】
７１では、ＵＥがＰＤＣＣＨを検出して現在のアップリンク・スケジューリング情報を取得する。
【００６９】
図８に示すように、時刻ｔ１の前に、全てのＨＡＲＱプロセスがアイドル状態にありＢＳＲがトリガされないと仮定する。時刻ｔ１で、ＵＥがＰＤＣＣＨを検出して現在のアップリンク・スケジューリング情報を取得する。当該現在のアップリンク・スケジューリング情報は、時刻ｔ２で、ｍ個のＭＡＣ  ＰＤＵｉ（ｉ∈０、１，．．．，Ｌ−１；ｍ≦Ｌ）を同時に送信するためにｍ個のＨＡＲＱプロセスが同時に使用されることを示す。ｍ＜Ｌであるときには、一部のＨＡＲＱプロセスがアイドル状態にあることを示し、ｍ＝Ｌであるときには、全てのＨＡＲＱプロセスが占有状態にあることを示す。
【００７０】
７２では、ＢＳＲがトリガされ、同時に送信されている複数のＭＡＣ  ＰＤＵのうち１つのＭＡＣ  ＰＤＵがＵＥの現在のＢＳＲ情報を運搬する。
【００７１】
図８に示すように、時刻ｔ２で、Ｐｅｒｉｏｄｉｃ  ＢＳＲまたはＲｅｇｕｌａｒ  ＢＳＲがトリガされた場合には、Ｐｅｒｉｏｄｉｃ  ＢＳＲまたはＲｅｇｕｌａｒ  ＢＳＲの優先度レベルが論理チャネルの一部の優先度より高いので、ＵＥの現在のＢＳＲ情報がＭＡＣ  ＰＤＵｋ（ｋ∈０、１、・・・、Ｌ０−１）で多重化され、同一のキャリアで送信されるＭＡＣ  ＰＤＵｋと他のＭＡＣ  ＰＤＵがアップリンクにおいて空間分割多重方式で同時に送信され、かつ／または、異なるキャリアで送信された他のＭＡＣ  ＰＤＵがアップリンクにおいて周波数分割多重方式で同時に送信されるように構成される。
【００７２】
ここで、最初に送信された全てのｍ個のＭＡＣ  ＰＤＵｉ（ｉ∈０、１，．．．，Ｌ０−１；ｍ≦Ｌ０）のうち、高々１つのＭＡＣ  ＰＤＵｋのみがＵＥの現在のＢＳＲ情報を運搬する。
【００７３】
７３では、ＵＥがＨＡＲＱフィードバック情報とアップリンク・スケジューリング情報に従ってＨＡＲＱプロセスの状態情報を決定する。
【００７４】
図８に示すように、ＵＥは時刻ｔ３で基地局からのＨＡＲＱフィードバック情報を検出する。ここで、当該ＨＡＲＱフィードバック情報は、基地局がステップ７１で説明したＭＡＣ  ＰＤＵｉを正しく受信したかどうかを反映する。
【００７５】
ＭＡＣ  ＰＤＵｉに対するＨＡＲＱフィードバック情報がＡＣＫである場合には、ＭＡＣ  ＰＤＵｉは基地局により正しく受信されている。この時点で、ＨＡＲＱｉは保留状態にあり、チャネル条件により許可されたとき、基地局はＵＥがＨＡＲＱｉプロセスを占有するように新たなＰＤＵをスケジュールしてもよい。
【００７６】
ＰＤＵｉに対するＨＡＲＱフィードバック情報がＮＡＣＫである場合には、ＭＡＣ  ＰＤＵｉは正しく受信されていない。この時点で、ＨＡＲＱｉプロセスはＭＡＣ  ＰＤＵｉを再送するために占有状態であり続ける。
【００７７】
ＵＥは時刻ｔ３でＰＤＣＣＨを検出して時刻ｔ４に対応するアップリンク・スケジューリング情報を取得する。アップリンク・スケジューリング情報がアップリンク新規送信またはアップリンク再送のスケジューリング情報を含む場合には、当該アップリンク・スケジューリング情報に対応するＨＡＲＱプロセスは占有状態にある。
【００７８】
最後に、取得したＨＡＲＱフィードバック情報とアップリンク・スケジューリング情報に従って、ＵＥが時刻ｔ４で全てのＨＡＲＱプロセスの状態情報（即ち、占有状態またはアイドル状態）を決定する。
【００７９】
７４では、ＢＳＲをトリガし、同時に送信された複数のＭＡＣ  ＰＤＵのうち新規送信ＭＡＣ  ＰＤＵがＵＥの現在のＢＳＲ情報を運搬する。
【００８０】
時刻ｔ４で、ＵＥのアップリンクＨＡＲＱプロセスのうち占有状態にある全てのＨＡＲＱプロセスが、複数のキャリアで対応するＭＡＣ  ＰＤＵを周波数分割多重方式および／または空間分割多重方式で送信する。
【００８１】
Ｐｅｒｉｏｄｉｃ  ＢＳＲまたはＲｅｇｕｌａｒ  ＢＳＲがトリガ状態にあり、現在占有されているＨＡＲＱプロセスの全てが再送状態にある場合には、ＢＳＲのトリガ状態を維持する。
【００８２】
Ｐｅｒｉｏｄｉｃ  ＢＳＲまたはＲｅｇｕｌａｒ  ＢＳＲがトリガ状態にあり、現在占有されている全てのＨＡＲＱプロセスのうち少なくとも１つが新規送信状態にある場合には、新規送信状態にある全てのＨＡＲＱプロセスのうち高々１つのＭＡＣ  ＰＤＵのみがバッファ状態情報を運搬する。ＨＡＲＱｌプロセスが新規送信状態にあり（ｌ∈０、１、・・・、Ｌ−１）、ＨＡＲＱｌプロセスに対応するＭＡＣ  ＰＤＵｌがＵＥの現在のＢＳＲ情報を運搬すると仮定する。
【００８３】
ＢＳＲ情報を運搬するための新規送信ＭＡＣ  ＰＤＵをどのようにユーザが選択するかはユーザ機器によるアルゴリズムの実装の問題であり、本明細書では特に論じない。
【００８４】
シナリオ３、４および５をより正確に説明するために、シナリオ３、４および５で述べた異なる基地局（複数可）と同一の基地局の意味を以下の例で説明する。
【００８５】
図９に示すように、ＢＳ０とＢＳ１の両方がアップリンク信号をＵＥから受信するが、ＢＳ０がＵＥのアップリンク信号を受信し処理するかどうかはユーザに対して透過であり、したがってＵＥとアップリンク通信する基地局はＢＳ１であるであると考えることができる。
【００８６】
図１０に示すように、ＢＳ０とＢＳ１のうち、ＢＳ１のみがアップリンク信号をＵＥから受信するが、ＢＳ０がＵＥのアップリンク信号を受信し処理するかどうかはユーザに対して透過であり、したがってＵＥとアップリンク通信する基地局はＢＳ１であるであると考えることができる。
【００８７】
図１１に示すように、ＢＳ０とＢＳ１のうち、ＢＳ０のみがアップリンク信号をＵＥから受信するが、ＢＳ１がＵＥのアップリンク信号を受信し処理するかどうかはＵＥに対して透過であり、したがってＵＥとアップリンク通信する基地局はＢＳ０であると考えることができる。
【００８８】
図１２に示すように、ＢＳ０とＢＳ１の両方がアップリンク信号をＵＥから受信するが、ＢＳ１がＵＥのアップリンク信号を受信し処理するかどうかはＵＥに対して透過であり、したがってＵＥとアップリンク通信する基地局はＢＳ０であると考えることができる。
【００８９】
ＵＥが２つのキャリアを使用する場合、
キャリアＣＣ０上のＵＥと基地局の間のアップリンク通信が図９に示すように進行し、キャリアＣＣ１上のＵＥと基地局の間のアップリンク通信が図１０に示すように進行するならば、ユーザＵＥとアップリンク通信する基地局は同一の基地局ＢＳ１であり、
キャリアＣＣ０上のＵＥと基地局の間のアップリンク通信が図１１に示すように進行し、キャリアＣＣ１上のＵＥと基地局の間のアップリンク通信が図１２に示すように進行するならば、ユーザＵＥとアップリンク通信する基地局は同一の基地局ＢＳ０であり、
キャリアＣＣ０上のＵＥと基地局の間のアップリンク通信が図９または図１０に示すように進行し、キャリアＣＣ１上のＵＥと基地局の間のアップリンク通信が図１１または図１２に示すように進行するならば、ユーザＵＥとアップリンク通信する基地局は、それぞれＢＳ１とＢＳ０である異なる基地局である。
【００９０】
適用シナリオ３
ＵＥはキャリア集合ＣＣｉ（ｉ＝０、１、・・・、Ｃ）を使用してアップリンク通信を同時に実施する。Ｃはキャリアの数である。各キャリアＣＣｉで、アップリンク通信接続がＵＥとＢＳｉの間で確立される。異なるキャリアでは、ＵＥと通信するＢＳｉは同一の基地局または異なる基地局であってもよい。ＵＥがＵＥとＢＳｉの間のリンクにおいて有するアップリンクＨＡＲＱプロセスの数はＬｉである。即ち、当該リンクでＵＥが送信するＭＡＣ  ＰＤＵの最大数はＬｉである。図１３はＣ＝２である場合を示している。
【００９１】
ＵＥがキャリア集合ＣＣｉ（ｉ＝０、１，．．．，Ｃ）内の一部のキャリアＣＣｊ（ｊ∈［０、１、・・・、Ｃ］）上でアップリンクにおいて通信するＢＳｊ（ｊ∈［０、１，．．．，Ｃ］）が異なる基地局である場合には、キャリア集合の各キャリアにおいて、上述の適用シナリオ１を参照して本発明の当該実施形態のバッファ状態レポート方法を使用してキャリアのＢＳＲ情報を報告してもよい。
【００９２】
ＵＥがキャリア集合ＣＣｉ（ｉ＝０、１，．．．，Ｃ）内の一部のキャリアＣＣｊ（ｊ∈［０、１、・・・、Ｃ］）上でアップリンクにおいて通信するＢＳｊ（ｊ∈［０、１，．．．，Ｃ］）が同一の基地局である場合には、当該キャリア集合において、上述の適用シナリオ２における方法を参照して、本発明の当該実施形態のバッファ状態レポート方法を使用してキャリアのＢＳＲ情報を報告してもよい。
【００９３】
ＵＥがバッファ状態を独立に異なる基地局に送信できること、即ち、ＵＥのＢＳＲ情報が、当該基地局に送信される新規送信状態のＭＡＣ  ＰＤＵで多重化され、同一の基地局により受信された新規送信状態のＭＡＣ  ＰＤＵにおいて、高々１つのＭＡＣ  ＰＤＵのみがＵＥの現在のＢＳＲ情報を運搬することが分かる。
【００９４】
ＢＳＲ情報を運搬するための新規送信ＭＡＣ  ＰＤＵをどのようにユーザが選択するかはユーザ機器によるアルゴリズムの実装の問題であり、本明細書では特に論じない。
【００９５】
適用シナリオ４
図１４に示すように、ＵＥはキャリア集合ＣＣｉ（ｉ＝０、１、・・・、Ｃ）を使用してアップリンク通信を同時に実施する。Ｃはキャリアの数である。各キャリアＣＣｉで、アップリンク通信接続がＵＥとＢＳｉの間で確立される。ＵＥが異なる二次キャリアで通信するＢＳｉは同一の基地局または異なる基地局であってもよい。ＵＥがＵＥとＢＳｉの間のリンクにおいて有するアップリンクＨＡＲＱプロセスの数はＬｉである。即ち、当該リンクでＵＥが送信するＰＤＵの最大数はＬｉである。キャリア集合ＣＣｉ（ｉ＝０、１，．．．，Ｃ）において、ＣＣ０は一次キャリア（Ｐｒｉｍａｒｙ  Ｃａｒｒｉｅｒ  Ｃｕｒｒｅｎｔ、図１４で表すＰＣＣ）であり、他のキャリア、即ち、ＣＣ０以外のキャリア集合における他の全てのキャリアは二次キャリア（Ｓｅｃｏｎｄａｒｙ  Ｃａｒｒｉｅｒ  Ｃｕｒｒｅｎｔ、図１４で表すＳＣＣ）であるように構成される。一次キャリアと二次キャリアの差異は、一次キャリアと二次キャリアで運搬される内容の種類が異なるというものである。図１０はＣ＝２である場合を示している。
【００９６】
一次キャリア（ＣＣ０）では、上述の適用シナリオ１の方法を参照して、本発明の当該実施形態のバッファ状態レポート方法を使用して一次キャリアのＢＳＲ情報を報告してもよい。
【００９７】
二次キャリアでは、上述の適用シナリオ２の方法を参照して、本発明の当該実施形態のバッファ状態レポート方法を使用してＢＳＲ情報を報告してもよい。即ち、全ての二次キャリアのＢＳＲ情報の送信がトリガされ新規送信ＭＡＣ  ＰＤＵが全ての二次キャリアで運搬されるＭＡＣ  ＰＤＵのうち何れかである場合には、全ての二次キャリアの当該ＢＳＲ情報は新規送信ＭＡＣ  ＰＤＵで運搬される。二次キャリアのＢＳＲ情報を報告するための方法とシナリオ２におけるＣＳＲ情報報告方法の差異は、当該シナリオにおいては二次キャリア上でユーザが通信する対象が同一の基地局または異なる基地局であってもよく、シナリオ２では全てのキャリア上でユーザが通信する対象が同一の基地局であるということである。
【００９８】
一次キャリア上のＵＥの現在のＢＳＲ情報と全ての二次キャリアにおけるＵＥの現在のＢＳＲ情報は互いに独立であること、即ち、一次キャリアの現在のＢＳＲ情報と二次キャリアの現在のＢＳＲ情報が、一次キャリアと二次キャリアで運搬される新規送信状態のＭＡＣ  ＰＤＵにおいて別々に多重化されることが分かる。
【００９９】
ＢＳＲ情報を運搬するための新規送信ＭＡＣ  ＰＤＵをどのようにユーザが選択するかはユーザ機器によるアルゴリズムの実装の問題であり、本明細書では特に論じない。
【０１００】
適用シナリオ５
ＵＥはキャリア集合ＣＣｉ（ｉ＝０、１、・・・、Ｃ）を使用してアップリンク通信を同時に実施する。Ｃはキャリアの数である。各キャリアＣＣｉで、アップリンク通信接続がＵＥとＢＳｉの間で確立される。ＵＥが異なる二次キャリアで通信するＢＳｉが、同一の基地局または異なる基地局であってもよい。当該基地局は、ユーザのキャリア集合ＣＣｉ（ｉ＝０、１，．．．，Ｃ）をＧ個のキャリア・グループにソートする。各キャリア・グループは少なくとも１つのキャリアを含む。
【０１０１】
キャリア・グループごとに、上述の適用シナリオ２の方法を参照して、本発明の当該実施形態のバッファ状態レポート方法を使用してＢＳＲ情報を報告してもよい。即ち、現在のキャリア・グループのＢＳＲ情報の送信がトリガされ、新規送信ＭＡＣ  ＰＤＵが現在のキャリア・グループのＨＡＲＱプロセスが運搬するＭＡＣ  ＰＤＵのうち何れかである場合には、現在のキャリア・グループのＢＳＲ情報が新規送信ＭＡＣ  ＰＤＵの１つで運搬される。キャリア・グループのＢＳＲ情報を報告するための方法とシナリオ２におけるＣＳＲ情報報告方法の差異は、当該シナリオにおいてはキャリア・グループ内の各キャリア上でユーザが通信する対象が同一の基地局または異なる基地局であってもよく、シナリオ２では全てのキャリア上でユーザが通信する対象が同一の基地局であるということである。
【０１０２】
ＢＳＲ情報を運搬するための新規送信ＭＡＣ  ＰＤＵをどのようにユーザが選択するかはユーザ機器によるアルゴリズムの実装の問題であり、本明細書では特に論じない。
【０１０３】
以上の説明は本発明の例示的な実装方式にすぎず、本発明の保護範囲を限定しようとするものではない。本発明で開示した技術的範囲において当業者が容易に想到する任意の変形または置換えは本発明の保護範囲に入るものとする。したがって、本発明の保護範囲は特許請求の範囲の保護範囲によって支配される。
【０１０４】
諸実施形態におけるプロセスの全部または一部を、関連するハードウェアに指示するコンピュータ・プログラムにより実装してもよいことは当業者には理解される。当該プログラムをコンピュータ可読記憶媒体に格納してもよい。当該プログラムが実行されたとき、諸実施形態の方法のプロセスが実施される。当該記憶媒体は、磁気ディスク、光ディスク、読取専用メモリ（Ｒｅａｄ−Ｏｎｌｙ  Ｍｅｍｏｒｙ、ＲＯＭ）、ランダム・アクセス・メモリ  （Ｒａｎｄｏｍ  Ａｃｃｅｓｓ  Ｍｅｍｏｒｙ、ＲＡＭ）等であってもよい。
【符号の説明】
【０１０５】
２１  トリガ・ユニット
２２  送信ユニット
【図１】
0005911977.tif 000003
【図２】
0005911977.tif 000004
【図３】
0005911977.tif 000005
【図４】
0005911977.tif 000006
【図５】
0005911977.tif 000007
【図６】
0005911977.tif 000008
【図７】
0005911977.tif 000009
【図８】
0005911977.tif 000010
【図９】
0005911977.tif 000011
【図１０】
0005911977.tif 000012
【図１１】
0005911977.tif 000013
【図１２】
0005911977.tif 000014
【図１３】
0005911977.tif 000015
【図１４】
0005911977.tif 000016